(57)【要約】【課題】便器本体が自動洗浄機能を有するか、否かを使用者が容易に視認できる洋式便器を提供する。【解決手段】便器本体２と、便座部３と、便座ボックス４に設けられた表示部１とからなる便器であって、上記便座ボックス４は便座部３の後方に設けられるとともに、該表示部１は少なくとも「自動洗浄」と視認し得る電光表示手段を備え、便器本体２が自動洗浄機能を有するときは、操作部の指令により通電して「自動洗浄」を電光表示し、便器本体２が自動洗浄機能を有しないときは、通電を行わず「自動洗浄」を表示しないようにされた洋式便器。【選択図】図１
2006348493.tif 000002
【特許請求の範囲】
【請求項１】
便器本体と、便座部と、便座ボックスに設けられた表示部とからなる便器であって、上記便座ボックスは便座部の後方に設けられるとともに、該表示部は少なくとも「自動洗浄」と視認し得る電光表示手段を備え、便器本体が自動洗浄機能を有するときは、操作部の指令により通電して「自動洗浄」を電光表示し、便器本体が自動洗浄機能を有しないときは、通電を行わず「自動洗浄」を表示しないようにされた洋式便器。
【請求項２】
上記電光表示手段を自動洗浄の４文字を透明に抜いた有色透光性樹脂シートとその下方に設けた発光部とから構成し、通電により上記４文字を浮かび上がらせるようにした請求項１に記載の洋式便器。
【発明の詳細な説明】
【技術分野】
【０００１】
本発明は、自動洗浄表示機能を有する洋式便器に関する。
【背景技術】
【０００２】
従来、温水洗浄機能や便座暖房機能等を備えた洋式便器において、各種機能を操作する複数のスイッチを備えた操作部は、下記特許文献１に記載のように、通常、便座の側方へ張り出して設けられている。一方、近年、操作部の小型化が進むとともに、上記操作部は便座部と分離して使用されることが多く、リモートコントロールにより各種の機能を便器本体や便座部に設定するタイプの洋式便器が普及しつつある。
【０００３】
上記操作部によってリモートコントロールされる便座部は、一般的に便器本体とは別売りされるため、便器本体の有する機能と操作部の指令機能とは必ずしも一致するものではない。例えば、便器本体が自動洗浄機能を備えずに、操作部が自動洗浄を指令する機能を有する場合、「自動洗浄」の表示の必要はないが、便器本体が自動洗浄機能を備え、操作部も自動洗浄指令機能を有する場合は「自動洗浄」を表示して着座センサの信号により便器の洗浄水が自動的に排出することを使用者に事前に視認させる必要がある。
【特許文献１】特開平７−３１７１２５号公報（第１〜３頁、第４図、第５図）
【発明の開示】
【発明が解決しようとする課題】
【０００４】
従来、上記「自動洗浄」の表示は、「自動洗浄」という文字を印刷したシートを、使用者が容易に視認できるように、便座部後方に設けられた便座ボックスに貼り付けることが行われてきた。しかしながら、便器本体の自動洗浄機能の有無に対応してシートを貼るのは手間がかかり、また、貼った場合、長期の使用により文字が薄れて、使用者が視認しにくいという問題がある。本発明はこのような問題を解決して、着座センサを備え自動洗浄機能を有する便器本体、あるいは自動洗浄機能を有しない便器本体と、自動洗浄を指令する機能を有する操作部との組み合わせに応じ、自動洗浄機能の有無を使用者が容易に視認できる洋式便器を提供することを、その課題とする。
【課題を解決するための手段】
【０００５】
上記課題を解決するために、本発明においては、つぎのような技術的手段を講じている。すなわち、本発明によれば、便器本体と、便座部と、便座ボックスに設けられた表示部とからなる便器であって、上記便座ボックスは便座部の後方に設けられるとともに、該表示部は少なくとも「自動洗浄」と視認し得る電光表示手段を備え、便器本体が自動洗浄機能を有するときは、操作部の指令により通電して「自動洗浄」を電光表示し、便器本体が自動洗浄機能を有しないときは、通電を行わず「自動洗浄」を表示しないようにされた洋式便器が提供される。
【０００６】
上記電光表示手段を、自動洗浄の４文字を透明に抜いた有色透光性樹脂シートと、その下方に設けた発光部とから構成し、通電により上記４文字を浮かび上がらせるようにすることが好ましい。発光部としては、とくに限定されるものではないがＬＥＤが好適に用いられる。
【発明の効果】
【０００７】
請求項１に記載の発明は上記のとおりであり、便器本体が自動洗浄機能を有するときは、操作部の指令により通電して便座ボックスの表示部に「自動洗浄」を電光表示し、便器本体が自動洗浄機能を有しないときは、通電を行わず「自動洗浄」を表示しないようにされているため、操作部からの簡単なスイッチングよって電光表示をオン・オフすることが可能となり、便器本体が自動洗浄機能を備えているか、否かを容易に使用者に視認させることができる。
【０００８】
上記電光表示手段を自動洗浄の４文字を透明に抜いた有色透光性樹脂シートとその下方に設けた発光部とから構成し、とくに発光部としてＬＥＤを用いることにより、視認性よく、かつ、低電気コストで「自動洗浄」と電光表示することができる。
【発明を実施するための最良の形態】
【０００９】
以下、本発明の実施形態について図面を参照して、詳細に説明する。図１は、本発明にかかる洋式便器Ａを示す外観斜視図であり、便器本体２と、便座部３と便座部３の後方に位置する便座ボックス４に設けられた表示部１とからなっている。まず、第１実施形態について説明する。第１実施形態においては、便座部３は図外着座センサを備え、着座センサが使用者の便座部３からの退去を感知してから数秒後に図示しない操作部からの指令によりフラッシュバルブが作動し、大量の洗浄水が奔出して便器本体２の洗浄を自動的に行うようにされている。
【００１０】
以下、上記第１実施形態の動作について説明する。まず図示しない操作部の電源入／切スイッチを操作して、上記洋式便器Ａの温水洗浄機能や便座暖房機能等の各種機能を作動させるための電源を入れる。電源が入ることによって、図２に示すように表示部１の「電源」電光表示窓１２の下方に設けられたＬＥＤは通電され、使用者は明るく浮かび上がった「電源」という文字によって上記洋式便器Ａの持つ各種機能を使用可能であることを視認する。
【００１１】
ついで、操作部の自動洗浄設定スイッチをオンとすることにより、「自動洗浄」電光表示窓１１の下方に設置されたＬＥＤに通電して発光させる。ＬＥＤの発光により、図２に示すように自動洗浄の４文字が明るく浮かび上がり、使用者は本発明にかかる洋式便器Ａが「自動洗浄」タイプであることを容易に視認することができる。
【００１２】
次に、上記洋式便器Ａが温水洗浄機能や便座暖房機能等の各種機能を備えているが、便器の自動洗浄機能を有していない第２実施形態について説明する。まず、第１実施形態同様に、図示しない操作部の電源入／切スイッチを操作して、上記洋式便器Ａの温水洗浄機能や便座暖房機能等の各種機能を作動させるための電源を入れる。電源が入ることによって、図３に示すように表示部１の「電源」電光表示窓１２の下方に設けられたＬＥＤは通電され、使用者は明るく浮かび上がった「電源」という文字によって上記洋式便器Ａの持つ各種機能が使用可能であることを知る。
【００１３】
しかしながら、第２実施形態においては、便器本体２は自動洗浄機能を有していないため、図示しない操作部の自動洗浄設定スイッチをオフとすることにより、「自動洗浄」電光表示窓１１の下方に設置されたＬＥＤは発光せず、自動洗浄の４文字は認識されなくなる。このとき、自動洗浄の４文字を透明に抜いた部分に黒色の光拡散用メジウム処理を施すことによって、ＬＥＤ消灯時の文字の認識がさらに困難となり、実質的に消去することができる。このように、本発明にかかる洋式便器Ａは、便器本体が自動洗浄機能を備えているか、否かにかかわらず、スイッチのオン・オフにより「自動洗浄」と簡単に表示し得る電光表示窓が設けられているため、両者に組み合わせ自在に適応することができる。
【図面の簡単な説明】
【００１４】
【図１】本発明にかかる洋式便器を示す外観斜視図である。
【図２】洋式便器が自動洗浄タイプであることを表示する表示部近傍の詳細図である。
【図３】洋式便器が自動洗浄タイプでない場合の表示部近傍の詳細図である。
【符号の説明】
【００１５】
Ａ          本発明にかかる洋式便器
１          表示部
１１        「自動洗浄」電光表示窓
１２        「電源」電光表示窓
２          便器本体
３          便座部
４          便座ボックス
【図１】
2006348493.tif 000003
【図２】
2006348493.tif 000004
【図３】
2006348493.tif 000005